(57)【要約】      （修正有）【課題】洗濯物を型崩れしないで綺麗に洗える、インナー専用小型超音波洗濯機を提供する。【解決手段】ステンレス製洗濯槽をインナーの大きさに合わせ洗濯槽底部に超音波振動子変換器を取り付け、この洗濯槽を支える為に洗濯槽の底部にプラスチックバスケットにてプラスチック製本体中央部に固定する。次に、本体底部に超音波振動子変換器をパルス振動させる回路基板、本体、又は本体蓋に起動タイマースイッチを取り付けてインナー専用小型超音波洗濯洗浄機Ｂを構成する。超音波で洗濯すると洗濯物Ａを動かさず洗濯出来るため、洗濯物Ａの型崩れがなく生地を痛めず綺麗に洗う事が出来る。【選択図】図４
0003153093.tif 000002
【実用新案登録請求の範囲】
【請求項１】
洗濯物を保護する為、超音波を使用して洗濯する、洗濯機の洗濯槽の大きさを、インナー洗濯物に合わせた容量、大きさにしてインナー洗濯物専用とする、使用する超音波のパルス波形をインナー洗濯物の主な素材であるナイロンに合わせ、超音波のパルス波形を２０ｋＨｚ以上から４３ｋＨｚ以内と最良な波形にする、この超音波洗濯洗浄機で洗濯すると洗濯物を動かさず洗濯出来るため、洗濯物の型崩れを守り、洗濯物を痛めず綺麗に洗う事が出来る事を特徴とするインナー専用小型超音波洗濯洗浄機
【考案の詳細な説明】
【技術分野】
【０００１】  本考案は、洗濯機等で洗濯する時に洗濯時間の短縮、洗濯物の型崩れ防止、且つ、汚れ落ち効果が多大な小型超音波洗濯機に関するものである。
【背景技術】
【０００２】  従来、この類の洗濯機は大型で、一部分を小時間で超音波で部分洗いするが、湾曲のある物は洗えない、その後一般洗濯機と同じ操作で洗い上げる、縦型ドラム方式では渦巻き方式で洗う為、他の洗濯物と擦れあい、ワイヤー等でインナー商品の形を整えているインナー洗濯物が型くずれしたりしている、又、斜めドラム方式でも選択物の中に大きな洗濯物があると、大きな洗濯物に絡まれて、これまた、インナー洗濯物の型くずれを起こしていた、又、一般に知られているメガネ用小型の洗浄機では、メガネ、金属、プラスチック専用で、ナイロン製のインナー洗濯物の大きさに洗浄槽が合致せずインナー洗濯物に不適な大きさであった。
【考案の開示】
【考案が解決しようとする課題】
【０００３】  しかし、従来のこのような大型洗濯機ではインナー洗濯物の型くずれを起こし、又は、小型洗浄機では小型洗浄機洗浄槽の大きさもインナー洗濯物には小さすぎと言う前述の欠点を解決しようとするものである。
【問題を解決するための手段】
【０００４】  本考案は、洗濯物を保護する為、超音波を使用して洗濯する、洗濯機の洗濯槽の大きさを、インナー洗濯物に合わせた容量、大きさにしてインナー洗濯物専用とする、使用する超音波のパルス波形をインナー洗濯物の主な素材であるナイロンに合わせ、超音波のパルス波形を２０ｋＨｚ以上から４３ｋＨｚ以内と最良な波形にする、このインナー専用小型超音波洗濯機で洗濯すると洗濯物を動かさず洗濯出来るため、洗濯物の型崩れを守り、洗濯物を痛めず綺麗に洗う事が出来る事を特徴とし、洗濯物を型くずれから保護するという問題点を解決している。
【考案の効果】
【０００５】  上述の様に、本考案のインナー専用小型超音波洗濯機は、インナー洗濯物は動かさず、洗濯槽の洗浄水を圧電振動子で激しい振動を起こすことで洗浄水の中で無数の空洞が作られる、作られた無数の小さな泡状空洞がつぶれる時出来るエネルギーがインナー洗濯物の表面、内部の汚れを落とすため、洗濯物を型くずれすることなく綺麗に洗う事が出来る、この小型超音波洗濯機は基本的には洗剤は必要としない、しかし著しく汚れが目立つ場合は洗剤を使用すると食い、洗剤は一般の中性洗剤で、しかも洗剤は少量で良い、又、洗濯時間も最大５分で終了するため、時間も節約でき洗濯物は型崩れせず綺麗に汚れを落とす事に役立つ。
【考案を実施するための最良の形態】
【０００６】  洗濯槽は横幅１８ｃｍ前後、奥行き１６ｃｍ前後、高さ１６ｃｍ前後が良い、このサイズは女性用インナー用品のブラジャー全サイズ二つ織りした時の大きさが素直に入れられる容量である、インナー用品を洗濯する為、主な素材であるナイロンに合わせる超音波の市販圧電振動子パルス波形は主に２０ｋＨｚ以上、４３ｋＨｚ以内とする、これ以上の高い圧電振動子パルス、５０ｋＨｚ、８０ｋＨｚ波形を使用すると汚れ落ちが極端に悪くなる。
【実施例】
【０００７】  以下、添付図面に従って一実施例を説明する、図１は市販大型超音波洗濯機上部の鳥瞰図で、Ｃは大型超音波洗濯機の本体、８は大型超音波洗濯機超音波振動子部、９はＡ洗濯物受けトレーである。【０００８】  図２は大型超音波洗濯機の超音波使用時での鳥瞰図で、８大型超音波洗濯機超音波振動子部にＡ洗濯物（ワイシャツ襟部）を充て汚れを落としている、図２のように平らな物で無ければ使用出来ない為、湾曲のあるブラジャーはこのタイプの洗濯機超音波振動子では洗う事が出来ない。【０００９】  図３は本考案のインナー専用小型超音波洗濯機の横側面原理図で、１はインナー専用小型超音波洗濯機本体、２はプラスチックで出来た本体蓋、３はステンレスで出来た洗濯槽、４は３ステンレスで出来た洗濯槽を振動させる超音波振動子変換器、５は３ステンレス製洗濯槽を支えるプラスチックバスケット、６は４超音波振動子変換器をパルス振動させる回路基板、７はタイマースイッチである。【００１０】  図４はインナー専用小型超音波洗濯機使用時の斜め上からの鳥瞰図で使用時実施例で、Ｂインナー専用小型超音波洗濯機の３ステンレス製洗濯槽に規定量の水道水を入れてから、図面上部のＡ洗濯物（ブラジャー）を二つに折りにし内面を下にして、３ステンレス製洗濯槽に入れ、２本体蓋を閉め７洗濯タイマースイッチ好みの時間設定を行う、タイマー時間は最大５分とし、４分と３分の３段階が良いが任意設定でも良い、洗濯物の汚れ具合により、７タイマースイッチを好みの時間に設定し洗濯を開始する、普通は３分位で汚れは落ちる、洗濯時間は汚れの多い物で５分、普通の汚れ具合は３分で洗濯が終わる為、大幅な洗濯時間短縮と、Ａインナー洗濯物が動かないので、型崩れなく綺麗に洗える。【００１１】  本考案の一実施例は上述の如き構成からなるものであるから、汚れ落ち効果が多大で、簡単に洗濯物の汚れを型崩れなく綺麗に洗える。
【図面の簡単な説明】
【００１２】
【図１】大型超音波洗濯機上部の鳥瞰図である。
【図２】大型超音波洗濯機の超音波使用時鳥瞰図である。
【図３】インナー専用小型超音波洗濯機の横側面原理図である。
【図４】インナー専用小型超音波洗濯機使用時の斜め上からの鳥瞰図である。
【符号の説明】
【００１３】Ａ    洗濯物
Ｂ    インナー専用小型超音波洗濯洗浄機
Ｃ    大型超音波洗濯機本体
１    インナー専用小型超音波洗濯機本体
２    本体蓋
３    ステンレス製洗濯槽
４    超音波振動子変換器
５    プラスチックバスケット
６    回路基盤
７    洗濯タイマースイッチ
８    大型超音波洗濯機超音波振動子部
９    洗濯物受けトレー
【図１】
0003153093.tif 000003
【図２】
0003153093.tif 000004
【図３】
0003153093.tif 000005
【図４】
0003153093.tif 000006
【手続補正書】
【提出日】平成21年4月4日(2009.4.4)
【手続補正１】
【補正対象書類名】実用新案登録請求の範囲
【補正対象項目名】全文
【補正方法】変更
【補正の内容】
【実用新案登録請求の範囲】
【請求項１】
プラスチック製本体に、ヒンジにてプラスチック製本体蓋を取り付け、本体に沿ってステンレス製洗濯槽、槽の内容量は洗濯物に合わせた大きさとし、洗濯槽の外部底の中央に２０ｋＨｚ以上から４３ｋＨｚ以内で洗濯槽をパルス振動させる超音波振動子変換器を取り付ける、このステンレス製洗濯槽を支える為に洗濯槽の底部にプラスチックバスケットを取り付け本体中央部に固定する、次に、本体底部に超音波振動子変換器をパルス振動させる回路基板、本体蓋に起動タイマースイッチを取り付ける、この超音波洗濯機で洗濯すると洗濯物を動かさず洗濯出来るため、洗濯物の型崩れや生地を痛めず綺麗に洗う事が出来る事を特徴とするインナー専用小型超音波洗濯機。
【手続補正２】
【補正対象書類名】明細書
【補正対象項目名】０００２
【補正方法】変更
【補正の内容】
【０００２】従来、この類の洗濯機は大型で、一部分を小時間で超音波で部分洗いするが、湾曲のある物は洗えない、その後一般洗濯機と同じ操作で洗い上げる、縦型ドラム方式では渦巻き方式で洗う為、他の洗濯物と擦れあい、ワイヤー等でインナー商品の形を整えているインナー洗濯物が型くずれしたりしている、又、斜めドラム方式でも洗濯物の中に大きな洗濯物があると、大きな洗濯物に絡まれて、これまた、インナー洗濯物の型くずれを起こしていた、又、一般に知られているメガネ用小型の洗浄機では、メガネ、金属、プラスチック専用で、ナイロン製のインナー洗濯物の大きさに洗浄槽が合致せずインナー洗濯物に不適な大きさであった。
【手続補正３】
【補正対象書類名】明細書
【補正対象項目名】０００４
【補正方法】変更
【補正の内容】
【０００４】本考案は、プラスチック製本体に、ヒンジにてプラスチック製本体蓋を取り付け、本体に沿ってステンレス製洗濯槽、槽の内容量は洗濯物に合わせた大きさとし、洗濯槽の外部底の中央に２０ｋＨｚ以上から４３ｋＨｚ以内の洗濯槽をパルス振動させる超音波振動子変換器を取り付ける、このステンレス製洗濯槽を支える為に洗濯槽の外側にプラスチックバスケットを取り付け本体中央部に固定する、本体底部に超音波振動子変換器をパルス振動させる回路基板、本体蓋に起動タイマースイッチを取り付ける、この超音波洗濯機で洗濯すると洗濯物を動かさず洗濯出来るため、洗濯物の型崩れや生地を痛めず綺麗に洗う事が出来る事により問題点を解決している。
【手続補正書】
【提出日】平成21年5月30日(2009.5.30)
【手続補正１】
【補正対象書類名】実用新案登録請求の範囲
【補正対象項目名】全文
【補正方法】変更
【補正の内容】
【実用新案登録請求の範囲】
【請求項１】
ステンレス製洗濯槽をインナーの大きさに合わせ洗濯槽底部に超音波振動子変換器を取り付け、この洗濯槽を支える為に洗濯槽の底部にプラスチックバスケットにてプラスチック製本体中央部に固定する、次に、本体底部に超音波振動子変換器をパルス振動させる回路基板、本体、又は本体蓋に起動タイマースイッチを取り付けることによって、この超音波洗濯機で洗濯すると洗濯物を動かさず洗濯出来るため、洗濯物の型崩れや生地を痛めず綺麗に洗う事が出来る事を特徴とするインナー専用小型超音波洗濯機。
【手続補正２】
【補正対象書類名】手続補正書
【補正対象項目名】手続補正３
【補正方法】変更
【補正の内容】
【手続補正３】
【補正対象書類名】明細書
【補正対象項目名】０００４
【補正方法】変更
【補正の内容】
【０００４】  本考案は、ステンレス製洗濯槽をインナー（ブラジャー）の大きさにあわせ底部にインナー素材洗濯に適した超音波振動子変換器を取り付け、この洗濯槽を支える為に洗濯槽の底部にプラスチックバスケットにてプラスチック製本体中央部に固定する、次に、本体底部に超音波振動子変換器をパルス振動させる回路基板を、本体、又は本体蓋に起動タイマースイッチを取り付けることによって、この超音波洗濯機で洗濯すると洗濯物を動かさず洗濯出来るため、洗濯物の型崩れや生地を痛めず綺麗に洗う事が出来る事で問題点を解決している。


【手続補正３】
【補正対象書類名】明細書
【補正対象項目名】０００６
【補正方法】変更
【補正の内容】
【０００６】洗濯槽は横幅１８ｃｍ前後、奥行き１６ｃｍ前後、高さ１６ｃｍ前後が良い、このサイズは女性用インナー用品のブラジャー全サイズ二つ織りした時の大きさが素直に入れられる容量である、インナー用品を洗濯する為、主な素材であるナイロンに合わせる超音波の市販超音波振動子パルス波形は主に２０ｋＨｚ以上、４３ｋＨｚ以内とする、これ以上の高い超音波振動子パルス、５０ｋＨｚ、８０ｋＨｚ波形を使用すると汚れ落ちが極端に悪くなる。